(57)【要約】【課題】  正確且つ速やかに輝度のばらつきを表示することが可能な表示調整支援装置を実現する。【解決手段】  フォトダイオード１１は、液晶表示モニタの輝度を示す出力波形を出力する。センサアンプ１２は出力波形を増幅し、全波整流回路１３に供給する。積分器１４は、全波整流された出力波形を半周期毎に積分する。その際、積分器１４はタイミング制御回路１６から供給されたタイミングパルスに基づいて積分値をリセットしながら、半周期毎の積分を行う。Ｓ／Ｈ回路１５は、積分器１４による半周期毎の積分値をサンプルしてホールドする。アナログ電圧計１７は、Ｓ／Ｈ回路１５がホールドした積分値を半周期毎に表示する。調整者は、電圧表示を参照しながらコモン電圧のボリュームを回転させ、輝度の調整を行う。【選択図】図１
2007033892.tif 000002
【特許請求の範囲】
【請求項１】
所定の基準電圧に対して極性反転する駆動電圧によって駆動される液晶表示装置における前記基準電圧に対する正極性時の電圧値と負極性時の電圧値との差に応じて生じる前記液晶表示装置の輝度のばらつきを抑制するための表示調整を支援する表示調整支援装置であって、
前記表示装置の表示輝度を検知し、該表示輝度の時間変化を示す輝度信号を出力する輝度検出手段と、
前記輝度検出手段により出力された前記輝度信号を半周期毎に時間積分して得られる積分値を出力する積分手段と、
前記積分手段が出力する前記積分値を表示する表示手段と、
を備える、
ことを特徴とする表示調整支援装置。
【請求項２】
前記輝度信号を全波整流するための整流手段をさらに備え、
前記積分手段は、前記整流手段により整流された前記輝度信号を半周期毎に積分する、
ことを特徴とする請求項１に記載の表示調整支援装置。
【請求項３】
前記輝度信号の半周期に相当する時間おきにタイミング信号を発生するタイミング信号発生手段をさらに備え、
前記積分手段は、前記タイミング信号発生手段が発生する前記タイミング信号に基づいて前記輝度信号を半周期毎に時間積分する、
ことを特徴とする請求項１または２に記載の表示調整支援装置。
【請求項４】
前記タイミング信号により規定されるタイミングで前記半周期毎の積分値を取得し、当該取得した積分値を前記タイミング信号が規定する該半周期に相当する時間の間保持する保持手段をさらに備え、
前記表示手段は、前記保持手段により保持された前記積分値を表示する、
ことを特徴とする請求項１から３のいずれか１項に記載の表示調整支援装置。
【請求項５】
前記輝度信号から、前記輝度の絶対量の変化に起因する輝度の変化分を除去する除去手段をさらに備え、
前記積分手段は、前記除去手段により前記輝度の絶対量の変化に起因する輝度の変化分が除去された前記輝度信号を、半周期毎に時間積分する、
ことを特徴とする請求項１から４のいずれか１項に記載の表示調整支援装置。
【請求項６】
前記除去手段は、前記輝度信号から極性反転に起因する輝度の変化を示す成分を抽出する第１の抽出手段と、前記輝度の絶対量の変化に起因する成分を抽出する第２の抽出手段と、を備え、
前記第１の抽出手段及び第２の抽出手段により抽出された成分に基づいて、前記輝度の絶対量の変化に起因する変化分を前記輝度信号から除去する、
ことを特徴とする請求項５に記載の表示調整支援装置。
【発明の詳細な説明】
【技術分野】
【０００１】
本発明は、液晶表示装置等の輝度のばらつきを抑制するためのＶｃｏｍ調整を支援する、表示調整支援装置に関する。
【背景技術】
【０００２】
一般に、ＴＦＴ（Thin Film Transistor）型の液晶表示装置では、画面の焼き付き等を防ぐため、画素に印加される電圧の極性を一画面（フレーム）毎に切り換えるフレーム反転駆動や、一走査線毎に切り換えるライン反転駆動が行われている。これらの反転駆動では、図１１（ａ）に示すように、液晶表示装置の共通電極に供給されるコモン電圧（Ｖｃｏｍ）は、フレーム又はライン反転駆動の極性反転毎にソース電圧を基準として極性反転する。
【０００３】
ソース電圧とＶｃｏｍとの電位差の絶対値が、正極性時と負極性時とでほぼ同一の値となっている場合、液晶表示装置の表示輝度やコントラストを安定させることが可能となる。しかし、図１１（ｂ）に示すように極性によって電位差の絶対値が異なる場合、液晶表示装置の表示にフリッカと呼ばれる輝度のばらつきが発生する。こうしたばらつきを最小限に抑えるため、ソース電圧とＶｃｏｍとの電位差の絶対値が正極性時と負極性時とでほぼ同一の値をとるように調整する、いわゆるＶｃｏｍ調整が行われている（例えば、特許文献１）。
【０００４】
Ｖｃｏｍ調整の代表的な手法として、図１２に示すような表示調整支援装置３を用いて調整を行う手法がある。この表示調整支援装置３では、まずフォトセンサ３１によって液晶表示装置４の輝度を検知する。そして、フォトセンサ３１の出力波形をセンサアンプ３２により増幅し、当該増幅した波形から輝度の「ばらつき」に相当するＡＣ（Alternate Current：交流）成分をＢＰＦ（Band Pass Filter）３３によって取り出す。そして、取り出したＡＣ成分をＡＣ−ＤＣ（Alternate Current - Direct Current：交流−直流）変換器３４によりＤＣ電圧に変換し、ＡＣ成分の振幅をアナログ電圧計３５に出力する。図１３に、Ｖｃｏｍ調整がずれている場合と合っている場合とにおけるＶｃｏｍ波形、フォトセンサ出力波形及びアナログ電圧計３５の表示の例を示す。調整者は、アナログ電圧計３５の表示を視認しながら、その表示値が最小となるように、液晶表示装置４が備えるＶｃｏｍ調整用ボリューム４１を回転させて、Ｖｃｏｍの調整を行う。
【特許文献１】特開平６−１３０９２０号公報
【発明の開示】
【発明が解決しようとする課題】
【０００５】
上述したように、従来のＶｃｏｍ調整では、フォトセンサ３１により検知した輝度の時間変化を示す出力波形を、ＡＣ−ＤＣ変換器３４でＤＣ電圧へと変換する。しかし、フォトセンサ３１の出力波形は、液晶表示装置４のフレームレートに対応した約５０〜６０Ｈｚの低周波数であり、これをＤＣ電圧に変換するためには、大きな時定数をもつＡＣ−ＤＣ変換器が必要となる。例えば、図１４に示すような、絶対値回路とＬＰＦ（Low Pass Filter）とから構成される平均値検波方式（周波数成分の平均値を検出する方式）を用いたＡＣ−ＤＣ変換器３４を用いる場合、ＬＰＦの時定数を大きくしてＡＣ−ＤＣ変換を行わなければならない。時定数が大きいことによりセトリング時間が増大するため、Ｖｃｏｍ調整用ボリューム４１をすばやく回転しても、そのＡＣ−ＤＣ変換後のＤＣ電圧値の変化が遅く、調整が反映されたかどうかが分かりにくい。このため調整者は、最終的な電圧値に収束するまで待ちながらゆっくりとＶｃｏｍ調整用ボリューム４１を回転させて、調整を行わなければならない。したがって、調整に時間がかかる。
【０００６】
また、液晶表示装置４を調整する際には、液晶表示装置４が備える陰極管等の光源４２を消灯状態から点灯状態に変化させてから調整を行う。したがって、点灯することにより液晶表示装置４内部にあるインバータ回路等が起動し、その際に発生する熱により液晶表示装置４内部の温度が上昇する。この温度上昇に伴って光源４２の輝度が上昇するため、図１５に示すように、Ｖｃｏｍ調整で検知する輝度の時間変化におけるＡＣ成分も、光源４２の輝度上昇に従って大振幅となる。点灯直後にＶｃｏｍ調整をする場合、調整者がＶｃｏｍ調整用ボリューム４１を回転させながらアナログ電圧計３５の表示値が最小となるポイントを探している最中に、次第に光源４２の輝度上昇による振幅の増大が起こり、現在のポイントが最適のポイントか否かがわからなくなってしまう。このため、光源４２の輝度上昇による調整の不都合を解消するため、事前に予備点灯を行って、光源４２の輝度が一定値に収束しＡＣ成分の振幅が一定値に安定するまで待ってから調整する等の方法を採る必要があり、実際の調整作業以外の余分な手間や時間がかかっていた。
【０００７】
本発明は、上記実状に鑑みて為されたものであり、液晶表示装置において正確且つ速やかにＶｃｏｍ調整をすることが可能な、表示調整支援装置実現することを目的とする。
【課題を解決するための手段】
【０００８】
上記目的を達成するため、本発明に係る表示調整支援装置は、所定の基準電圧に対して極性反転する駆動電圧によって駆動される液晶表示装置における前記基準電圧に対する正極性時の電圧値と負極性時の電圧値との差に応じて生じる前記液晶表示装置の輝度のばらつきを抑制するための表示調整を支援する表示調整支援装置であって、前記表示装置の表示輝度を検知し、該表示輝度の時間変化を示す輝度信号を出力する輝度検出手段と、前記輝度検出手段により出力された輝度信号を半周期毎に時間積分して得られる積分値を出力する積分手段と、前記積分手段が出力する前記積分値を表示する表示手段と、を備える、ことを特徴とする。
【０００９】
前記輝度信号を全波整流するための整流手段をさらに備え、前記積分手段は、前記整流手段により整流された前記輝度信号を半周期毎に積分してもよい。
【００１０】
前記輝度信号の半周期に相当する時間おきにタイミング信号を発生するタイミング信号発生手段をさらに備え、前記積分手段は、前記タイミング信号発生手段が発生する前記タイミング信号に基づいて前記輝度信号を半周期毎に時間積分してもよい。
【００１１】
前記タイミング信号により規定されるタイミングで前記半周期毎の積分値を取得し、当該取得した積分値を前記タイミング信号が規定する該半周期に相当する時間の間保持する保持手段をさらに備え、前記表示手段は、前記保持手段により保持された前記積分値を表示してもよい。
【００１２】
前記輝度信号から、前記輝度の絶対量の変化に起因する輝度の変化分を除去する除去手段をさらに備え、前記積分手段は、前記除去手段により前記輝度の絶対量の変化に起因する輝度の変化分が除去された前記輝度信号を、半周期毎に時間積分してもよい。
【００１３】
前記除去手段は、前記輝度信号から極性反転に起因する輝度の変化を示す成分を抽出する第１の抽出手段と、前記輝度の絶対量の変化に起因する成分を抽出する第２の抽出手段と、を備え、前記第１の抽出手段及び第２の抽出手段により抽出された成分に基づいて、前記輝度の絶対量の変化に起因する変化分を前記輝度信号から除去してもよい。
【発明の効果】
【００１４】
本発明によれば、液晶表示装置において正確且つ速やかに輝度のばらつきを表示することが可能な、表示調整支援装置を実現することができる。
【発明を実施するための最良の形態】
【００１５】
以下、本発明の実施形態に係る表示調整支援装置１を、図面を参照して説明する。
【００１６】
（実施形態１）
本実施形態に係る表示調整支援装置１は、ＴＦＴ型の液晶表示装置に印加するコモン電圧（以下、Ｖｃｏｍ電圧）を調整して、表示のちらつき（表示輝度のばらつき）を抑えるための調整を支援するための装置である。表示調整支援装置１は、図１に示すように、フォトダイオード１１と、センサアンプ１２と、全波整流回路１３と、積分器１４と、Ｓ／Ｈ回路１５と、タイミング制御回路１６と、アナログ電圧計１７と、から構成される。
【００１７】
フォトダイオード１１は、液晶表示装置の表示輝度の変化を検出し、表示輝度の時間変化を示す出力波形をセンサアンプ１２に出力する。センサアンプ１２は、フォトダイオード１１から供給された出力波形を増幅して、全波整流回路１３に供給する。以下、このフォトダイオード１１とセンサアンプ１２を合わせてフォトセンサＦと呼ぶ。フォトセンサＦは、図２（ａ）に示すような出力波形（フォトセンサ波形）を全波整流回路１３に供給する。なお、ここでは、表示輝度の絶対量自体はほぼ一定であるものとし、表示輝度自体の値の上昇を示すＡＣ成分の増分は考慮しないものとする。
【００１８】
全波整流回路１３は、例えば図３に示すように、コイル１３１Ａおよび１３１Ｂと、ダイオード１３２Ａ〜１３２Ｄと、コンデンサ１３３と、抵抗１３４と、から構成される。全波整流回路１３は、フォトセンサＦから供給されたフォトセンサ波形に対して全波整流を行い、図２（ｅ）に示すような正の整流波形を生成して積分器１４およびＳ／Ｈ回路１５に供給する。
【００１９】
積分器１４は、例えば図４に示すように、抵抗１４１と、アナログスイッチ１４２と、コンデンサ１４３と、増幅器１４４と、から構成される。積分器１４は、全波整流回路１３から供給された整流波形を時間積分して、Ｓ／Ｈ回路１５に供給する。その際、積分器１４は半周期毎に積分を行う。そして、タイミング制御回路１６から供給される図２（ｄ）に示すようなタイミング信号（リセットパルス）のタイミングに基づいて積分値をリセットし、また半周期分の積分を開始する。
【００２０】
Ｓ／Ｈ（サンプルホールド）回路１５は、例えば図５に示すように、アナログスイッチ１５１と、コンデンサ１５２と、増幅器１５３と、から構成される。Ｓ／Ｈ回路１５は、積分器１４により供給された半周期毎の積分電圧値をサンプル（標本化）し、ホールド（保持）する。なお、Ｓ／Ｈ回路１５は、このサンプルおよびホールドの作業を、タイミング制御回路１６から供給される図２（ｃ）に示すようなタイミング信号（サンプル／ホールドタイミングパルス）のタイミングに基づいて行い、図２（ｇ）に示すような出力をアナログ電圧計１７に供給する。
【００２１】
タイミング制御回路１６は、全波整流回路１３から供給された出力波形（全波整流後のフォトセンサ波形）が「ゼロ」になるタイミングを検出するゼロクロスコンパレータ１６１と、タイミング発生回路１６２とを備える。
【００２２】
ゼロクロスコンパレータ１６１は、全波整流回路１３の出力波形を受け取り、図２（ｂ）に示すように、当該出力波形が「ゼロ」になるタイミングで出力値が変化する波形を出力する。
【００２３】
タイミング発生回路１６２は、ゼロクロスコンパレータ１６１の出力波形に基づいて、積分器１４およびＳ／Ｈ回路１５の動作タイミングを規定する信号を発生する。より具体的には、積分器１４およびＳ／Ｈ回路１５に対して、図２（ｃ）および図２（ｄ）に示すような所定のタイミング信号（サンプル／ホールドタイミングパルス、リセットパルス）を供給する。
【００２４】
アナログ電圧計１７は、Ｓ／Ｈ回路１５によってホールドされた半周期毎の積分値（サンプルホールド値）を表示する。ユーザは、このアナログ電圧計１７の表示に基づいて、電圧値が最小になるように液晶表示装置が備えるＶｃｏｍ調整用ボリュームを回転させて画面のちらつき（輝度のばらつき）の調整を行う。
【００２５】
次に、上記のように構成される本実施形態に係る表示調整支援装置１を用いて、表示装置のＶｃｏｍ調整をする際の動作について、具体的に説明する。
【００２６】
一定の輝度を表示させるための階調データが供給された状態において、Ｖｃｏｍ調整をされる前の液晶表示装置は、フレーム毎に輝度が変化する。
本実施形態においては、Ｖｃｏｍのずれに起因して、図６（ａ）に示すように、フォトセンサ波形がフレームの周期に合わせて振動している状態で、Ｖｃｏｍ調整が実施される。
【００２７】
フォトダイオード１１は、液晶表示装置の表示輝度を検知し、その時間変化を示す出力波形をセンサアンプ１２に供給する。液晶表示装置の表示輝度はフレーム毎に（すなわち、約５０〜６０Ｈｚで）変化する。このため、フォトダイオード１１の出力波形は、図６（ａ）に示すように、５０〜６０ＨｚのＡＣ信号となる。
【００２８】
センサアンプ１２は、フォトダイオード１１から供給された出力波形を増幅し、全波整流回路１３に供給する。
全波整流回路１３は、センサアンプ１２によって増幅された、輝度の時間変化を示す出力波形に対して、全波整流を行い、積分器１４およびタイミング制御回路１６に、整流波形を供給する。
【００２９】
タイミング制御回路１６は、全波整流回路１３から供給された波形に基づいてゼロクロスを検出して、タイミング信号を生成し、積分器１４およびＳ／Ｈ回路１５に供給する。
【００３０】
図６（ｂ）に示すように、積分器１４は、全波整流回路１３から供給される波形に対し、タイミング制御回路１６から供給されるタイミング信号に基づいて、半周期に渡り整流波形を積分して出力する。
また、Ｓ／Ｈ回路１５は、タイミング制御回路からのタイミング信号に基づいて積分器１４による半周期の積分値をサンプルし、その値を次の半周期までホールドして、アナログ電圧計１７に供給する。
【００３１】
アナログ電圧計１７は、Ｓ／Ｈ回路１５から供給された電圧積分値（サンプルホールド積分値）を表示する。Ｖｃｏｍ調整前においては、図６（ｃ）に示すように、アナログ電圧計１７の表示する電圧値は、約５０〜６０Ｈｚで変化する方形波となる。この方形波の振幅は、正極性時と負極性時の輝度の差を表す。
【００３２】
調整者は、アナログ電圧計１７の表示する電圧値を確認しながら液晶表示装置が備えるＶｃｏｍ調整用ボリュームを回転し、アナログ電圧計１７の表示する電圧値が一定値となるように調整する。図６（ｄ）、（ｅ）、及び、（ｆ）は、それぞれＶｃｏｍ調整によって、Ｖｃｏｍが適正に調整された後のフォトセンサＦの出力、積分器１４の出力、及び、Ｓ／Ｈ回路１５の出力（すなわち、アナログ電圧計１７の表示値）を示している。  
【００３３】
Ｖｃｏｍ調整がなされると、一定の輝度を表示させるための階調データが供給された状態において、極性反転に起因する表示輝度のばらつきが抑制され、画面のちらつきが見られなくなる。
【００３４】
以上説明したような表示調整支援装置１を用いて、調整者はＶｃｏｍ調整を実施し、ＴＦＴ液晶表示装置の画面のちらつき（表示輝度のばらつき）を低減する。上記構成および処理動作によれば、半周期毎にＡＣ振幅のＤＣ変換を行うため、ＤＣ値の確定時間が短く、調整者は、Ｖｃｏｍ調整用ボリュームの回転に対応した表示輝度の変化を速やかに視認することができる。したがって、調整者は速やかにＶｃｏｍ調整を実施することができる。
【００３５】
ところで、上記実施形態１では、光源の輝度の増加（変化）を考慮せず、フォトセンサ波形においてＶｃｏｍのずれに起因する輝度のばらつきを示すＡＣ成分のみを考慮するものとした。しかし、例えば液晶表示装置がバックライト等の光源を備える場合には、陰極管やインバータ回路等によるモニタ内の温度上昇のため、光源の輝度自体が変化する。したがって、実際のフォトセンサ波形には輝度の変化を示す変動が含まれることになり、調整者はこれを考慮してばらつきの調整を行う必要がある。以下、温度上昇等による輝度の変化を考慮した表示調整支援装置について説明する。
【００３６】
（実施形態２）
本実施形態に係る表示調整支援装置２は、図７に示すように、フォトダイオード２１と、センサアンプ２２と、ＡＣ成分を抽出するためのＢＰＦ（Band Pass Filter）２３と、ＤＣ成分を抽出するためのＬＰＦ（Low Pass Filter）２４と、除算回路としてのＡＧＣ（Automatic Gain Control）２５と、全波整流回路２６と、積分器２７と、タイミング制御回路２８と、Ｓ／Ｈ回路２９と、アナログ電圧計３０と、から構成される。なお、フォトセンサ波形は、実施形態１で示したものとは異なり、図８（ａ）に示すように、Ｖｃｏｍのずれに起因する輝度のばらつきを示すＡＣ成分（約５０〜６０Ｈｚ）と光源の輝度量の変化を示すＤＣ成分とを含む脈流波形であるものとする。
【００３７】
以下では、ＢＰＦ２３、ＬＰＦ２４及びＡＧＣ２５について説明する。なお、フォトダイオード２１、センサアンプ２２（フォトダイオード２１とセンサアンプ２２とを合わせてフォトセンサＦと呼ぶ）、全波整流回路２６、積分器２７、タイミング制御回路２８、Ｓ／Ｈ回路２９及びアナログ電圧計３０の各構成は、実施形態１で示したフォトダイオード１１乃至アナログ電圧計１７の各構成と共通するため、説明を省略する。
【００３８】
ＢＰＦ２３は、センサアンプ２２より供給されたフォトセンサ波形から、ＡＣ成分を抽出するためのフィルタである。ＢＰＦ２３は、所定の周波数帯域の信号を通過させることにより、図８（ｂ）に示すように、ＡＣ成分を抽出する。ＢＰＦ２３は、抽出したＡＣ成分をＡＧＣ２５に供給する。ＡＣ成分は、Ｖｃｏｍのずれの量と光源の輝度とによって、その大きさが増減する。
【００３９】
ＬＰＦ２４は、センサアンプ２２より供給されたフォトセンサ波形から、ＤＣ成分を抽出するためのフィルタである。ＬＰＦ２４は、所定の周波数以下の信号を通過させることにより、図８（ｃ）に示すように、ＤＣ成分を抽出する。ＤＣ成分は、光源の輝度の変化に応じて増減する。
【００４０】
ＡＧＣ２５は、例えば図９に示すように、乗算器２５１と除算器２５２とを備えるアナログ除算回路から構成される。ＡＧＣ２５は、ＢＰＦ２３により抽出されたＡＣ成分とＬＰＦ２４により抽出されたＤＣ成分とに基づいて、ＤＣ成分の増加に対応してＡＣ成分を減少させる。より詳細には、乗算器２５１は、ＬＰＦ２４から供給されるＤＣ成分に所定の値（直流電圧値）を乗算して、除算器２５２に供給する。除算器２５２は、ＢＰＦ２３から供給されるＡＣ成分を乗算器２５１から供給される値で除算することにより、光源の輝度変化の影響を除去したＡＣ成分を出力する。
【００４１】
なお、乗算器２５１に供給される直流電圧値は、ＤＣ成分の増減に対するＡＣ成分の増減の割合に基づいて定められ、輝度変化に伴うＡＣ成分の変化を打ち消すような電圧値に設定される。
【００４２】
次に、上記のように構成される本実施形態に係る表示調整支援装置２を用いて、表示装置のＶｃｏｍ調整をする際の動作について、具体的に説明する。
【００４３】
Ｖｃｏｍ調整をするために、バックライトを点灯すると、陰極管やインバータ回路等が発熱し、液晶表示内の温度が上昇する。このため、一定の輝度を表示させるための階調信号が供給されている場合でも、装置内の温度が一定値に収束するまでの間、表示輝度が徐々に変化する。このため、Ｖｃｏｍ調整前のフォトセンサ波形は、図１０（ａ）に示すように、輝度の上昇に起因して平均値が増加する波形に、Ｖｃｏｍのずれに起因して振動を重畳した波形（脈流波形）となる。
本実施形態においては、このように、フォトセンサ波形が脈流波形となっている状態で、Ｖｃｏｍ調整が実施される。
【００４４】
フォトダイオード２１は、液晶表示装置の表示輝度を検知し、その時間変化を示す出力波形をセンサアンプ２２に供給する。なお、液晶表示装置の表示輝度は、装置内の温度上昇により徐々に増加するとともにフレーム毎に（すなわち、約５０〜６０Ｈｚで）変化する。このため、フォトダイオード２１の出力波形は、図１０（ａ）に示すような脈流波形となる。
センサアンプ２２は、フォトダイオード２１から供給された出力波形を増幅し、増幅した信号をＢＰＦ２３およびＬＰＦ２４に供給する。
【００４５】
ＢＰＦ２３およびＬＰＦ２４は、周波数帯域に基づいて信号をＡＣ成分とＤＣ成分とを抽出して分離し、ＡＧＣ２５に供給する。
【００４６】
ＡＧＣ２５は、ＢＰＦ２３およびＬＰＦ２４から供給された、ＡＣ成分およびＤＣ成分に相当する信号に対して除算処理を行い、全波整流回路２６に供給する。ＡＧＣ２５の出力信号は、図１０（ｂ）に示すように、光源の輝度変化の影響が除去された波形になる。
【００４７】
全波整流回路２６は、ＡＧＣ２５によって光源の輝度変化の影響が除去された波形に対して、全波整流を行い、積分器２７およびタイミング制御回路２８に、整流波形を供給する。
【００４８】
タイミング制御回路２８は、全波整流回路２６から供給された波形に基づいてゼロクロスを検出してタイミング信号を生成し、積分器２７およびＳ／Ｈ回路２９に供給する。
【００４９】
積分器２７は、全波整流回路２６から供給される波形に対し、タイミング制御回路２８から供給されるタイミング信号に基づいて、半周期に渡り整流波形を積分し、図１０（ｃ）に示すように、積分値を出力する。
また、Ｓ／Ｈ回路２９は、タイミング制御回路２８からのタイミング信号に基づいて積分器２７による半周期の積分値をサンプルし、その値を次の半周期までホールドして、図１０（ｄ）に示すように、ホールド値をアナログ電圧計３０に供給する。
【００５０】
アナログ電圧計３０は、Ｓ／Ｈ回路２９から供給された電圧積分値（サンプルホールド積分値）を表示する。Ｖｃｏｍ調整前においては、図１０（ｄ）に示すように、アナログ電圧計３０の表示する電圧値は、約５０〜６０Ｈｚで変化する方形波となる。この方形波の振幅は、正極性時と負極性時の輝度の差を表す。
【００５１】
調整者は、アナログ電圧計３０の表示する電圧値を確認しながら液晶表示装置が備えるＶｃｏｍ調整用ボリュームを回転し、アナログ電圧計３０の表示する電圧値が一定値となるように調整する。図１０（ｅ）、（ｆ）、（ｇ）、及び、（ｈ）は、それぞれＶｃｏｍ調整によって、Ｖｃｏｍが適正に調整された後のフォトセンサＦの出力、ＡＧＣ２５の出力、積分器２７の出力、及び、Ｓ／Ｈ回路２９の出力（すなわち、アナログ電圧計３０の表示値）を示している。
【００５２】
Ｖｃｏｍ調整がなされると、一定の輝度を表示させるための階調データが供給された状態において、極性反転に起因する表示輝度のばらつきが抑制され、画面のちらつきが見られなくなる。
【００５３】
以上、説明したような表示調整支援装置２を用いて、調整者はＴＦＴ液晶表示装置の輝度を調整する。上記構成および処理動作によれば、ＢＰＦ２３、ＬＰＦ２４およびＡＧＣ２５を通すことにより、ＡＣ成分の増分をＤＣ成分の増分に基づいて打ち消すことができる。したがって、例えば温度上昇等によって光源の輝度が上昇するような場合でも、その上昇量（変化量）を考慮せずにＶｃｏｍ調整を行うことが可能となる。したがって、例えば従来行われていたように、温度変化による輝度変化を防止するための予備点灯や予備加熱等を行う必要がなく、Ｖｃｏｍ調整の時間を抑制できる。
【００５４】
尚、本発明は上記実施形態で示した例に限定されるものではなく、様々な変形および応用が可能である。
【００５５】
例えば、上記実施形態２では、フォトセンサ出力波形のＡＣ成分とＤＣ成分とを用いて温度上昇等による輝度の増加分をキャンセルする作業を行ったが、これ以外の方法で増加分を打ち消す（キャンセルする）ものであってもよい。
【００５６】
また、その他、表示調整支援装置１および表示調整支援装置２における各部（各回路）の構成は、上記実施形態で示した例に限定されるものではなく、それぞれの役割を達成可能に構成されていればよい。
【図面の簡単な説明】
【００５７】
【図１】本発明の実施形態１に係る表示調整支援装置の構成を示す図である。
【図２】本発明の実施形態１に係る表示調整支援装置の各部において出力される波形の例を示す図である。
【図３】本発明の実施形態１に係る表示調整支援装置における全波整流回路の回路構成の例を示す図である。
【図４】本発明の実施形態１に係る表示調整支援装置における積分器の回路構成の例を示す図である。
【図５】本発明の実施形態１に係る表示調整支援装置におけるＳ／Ｈ回路の回路構成の例を示す図である。
【図６】本発明の実施形態１における、Ｖｃｏｍ調整の前及び後の、フォトセンサ、積分器及びＳ／Ｈ回路の出力波形の変化を示すタイムチャートである。
【図７】本発明の実施形態２に係る表示調整支援装置の構成を示す図である。
【図８】本発明の実施形態２に係る表示調整支援装置のＡＧＣ回路部において抽出・出力される波形の様子を示す図である。
【図９】本発明の実施形態２に係る表示調整支援装置における除算回路の回路構成の例を示す図である。
【図１０】本発明の実施形態２における、Ｖｃｏｍ調整の前及び後の、フォトセンサ、ＡＧＣ、積分器及びＳ／Ｈ回路の出力波形の変化を示すタイムチャートである。
【図１１】従来の表示調整支援装置におけるＶｃｏｍ電圧の波形を示す図である。
【図１２】従来の表示調整支援装置の構成を示す図である。
【図１３】従来の表示調整支援装置を用いてばらつき調整を行う際のＶｃｏｍ電圧およびフォトセンサの出力波形を示す図である。
【図１４】従来の平均値検波方式を用いたＡＣ−ＤＣ変換器の構成の例を示す図である。
【図１５】バックライトの輝度が増加中のフォトセンサ波形を示す図である。
【符号の説明】
【００５８】
１・・・表示調整支援装置、１１・・・フォトダイオード、１２・・・センサアンプ、１３・・・全波整流回路、１４・・・積分器、１５・・・Ｓ／Ｈ回路、１６・・・タイミング制御回路、１７・・・アナログ電圧計、２・・・表示調整支援装置、２１・・・フォトダイオード、２２・・・センサアンプ、２３・・・ＢＰＦ、２４・・・ＬＰＦ、２５・・・ＡＧＣ、２６・・・全波整流回路、２７・・・積分器、２８・・・タイミング制御回路、２９・・・Ｓ／Ｈ回路、３０・・・アナログ電圧計、３・・・表示調整支援装置。
【図１】
2007033892.tif 000003
【図２】
2007033892.tif 000004
【図３】
2007033892.tif 000005
【図４】
2007033892.tif 000006
【図５】
2007033892.tif 000007
【図６】
2007033892.tif 000008
【図７】
2007033892.tif 000009
【図８】
2007033892.tif 000010
【図９】
2007033892.tif 000011
【図１０】
2007033892.tif 000012
【図１１】
2007033892.tif 000013
【図１２】
2007033892.tif 000014
【図１３】
2007033892.tif 000015
【図１４】
2007033892.tif 000016
【図１５】
2007033892.tif 000017